【手続補正書】
【提出日】平成16年12月10日(2004.12.10)
【手続補正１】
【補正対象書類名】明細書
【補正対象項目名】発明の名称
【補正方法】変更
【補正の内容】
【発明の名称】情報処理装置、情報処理方法および記憶媒体
【手続補正２】
【補正対象書類名】明細書
【補正対象項目名】特許請求の範囲
【補正方法】変更
【補正の内容】
【特許請求の範囲】
【請求項１】
データに関連付けられた検索用記述子として、階層的に記述された複数の情報を受信する受信手段と、
複数の情報と関連付けられる、ネットワーク上の検索機能を有する情報処理装置を決定するための関連情報を記憶する記憶手段が記憶する関連情報に基づいて、前記ネットワーク上の接続先となる検索機能を有する情報処理装置を決定する決定手段と、
前記決定手段で決定された接続先情報処理装置に検索条件として、前記受信された複数の情報を送信し、前記情報処理装置から検索機能によって前記検索条件に基づいて得られた検索結果を取得し、該検索結果を出力する出力手段と
を備えたことを特徴とする情報処理装置。
【請求項２】
前記決定手段は、前記受信した複数の情報のうち、最上位にある情報に対応する情報処理装置を前記接続先情報処理装置として決定し、前記出力手段は、前記決定された接続先ウェブサイトへ前記受信された複数の情報のうち、最上位に続く下位の情報の全てを前記決定された接続先情報処理装置送信することを特徴とする請求項１記載の情報処理装置。
【請求項３】
データに関連付けられた検索用記述子として、階層的に記述された複数の情報を受信する受信工程と、
複数の情報と関連付けられる、ネットワーク上の検索機能を有する情報処理装置を決定するための関連情報を記憶する記憶手段が記憶する関連情報に基づいて、前記ネットワーク上の接続先となる検索機能を有する情報処理装置を決定する決定工程と、
前記決定工程で決定された接続先情報処理装置に検索条件として、前記受信された複数の情報を送信し、前記情報処理装置から検索機能によって前記検索条件に基づいて得られた検索結果を取得し、該検索結果を出力する出力工程と
を備えたことを特徴とする情報処理方法。
【請求項４】
前記決定工程は、前記受信した複数の情報のうち、最上位にある情報に対応する情報処理装置を前記接続先情報処理装置として決定し、前記出力工程は、前記決定された接続先ウェブサイトへ前記受信された複数の情報のうち、最上位に続く下位の情報の全てを前記決定された接続先情報処理装置に送信することを特徴とする請求項３記載の情報処理方法。
【請求項５】
データに関連付けられた検索用記述子として、階層的に記述された複数の情報を受信する受信モジュールと、
複数の情報と関連付けられる、ネットワーク上の検索機能を有する情報処理装置を決定するための関連情報を記憶する記憶手段が記憶する関連情報に基づいて、前記ネットワーク上の接続先となる検索機能を有する情報処理装置を決定する決定モジュールと、
前記決定モジュールで決定された接続先情報処理装置に検索条件として、前記受信された複数の情報を送信し、前記情報処理装置から検索機能によって前記検索条件に基づいて得られた検索結果を取得し、該検索結果を出力する出力モジュールと
を有するプログラムを格納したコンピュータ読み取り可能な記憶媒体。
【請求項６】
前記決定モジュールは、前記受信した複数の情報のうち、最上位にある情報に対応する情報処理装置を前記接続先情報処理装置として決定し、前記出力モジュールは、前記決定された接続先ウェブサイトへ前記受信された複数の情報のうち、最上位に続く下位の情報の全てを前記決定された接続先情報処理装置に送信することを特徴とする請求項５記載の記憶媒体。
【手続補正３】
【補正対象書類名】明細書
【補正対象項目名】０００４
【補正方法】変更
【補正の内容】
【０００４】
本発明の目的は、データに直接サイトアドレス情報が付加されていないデータに関する情報を簡単に取得することができる情報処理装置、情報処理方法および記憶媒体を提供することにある。
【手続補正４】
【補正対象書類名】明細書
【補正対象項目名】０００５
【補正方法】変更
【補正の内容】
【０００５】
【課題を解決するための手段】
本発明に係る情報処理装置は、上記目的を達成するために、データに関連付けられた検索用記述子として、階層的に記述された複数の情報を受信する受信手段と、複数の情報と関連付けられる、ネットワーク上の検索機能を有する情報処理装置を決定するための関連情報を記憶する記憶手段が記憶する関連情報に基づいて、前記ネットワーク上の接続先となる検索機能を有する情報処理装置を決定する決定手段と、前記決定手段で決定された接続先情報処理装置に検索条件として、前記受信された複数の情報を送信し、前記情報処理装置から検索機能によって前記検索条件に基づいて得られた検索結果を取得し、該検索結果を出力する出力手段とを備えたことを特徴とする。
【手続補正５】
【補正対象書類名】明細書
【補正対象項目名】０００６
【補正方法】変更
【補正の内容】
【０００６】
また本発明に係る情報処理方法は、上記目的を達成するために、データに関連付けられた検索用記述子として、階層的に記述された複数の情報を受信する受信工程と、複数の情報と関連付けられる、ネットワーク上の検索機能を有する情報処理装置を決定するための関連情報を記憶する記憶手段が記憶する関連情報に基づいて、前記ネットワーク上の接続先となる検索機能を有する情報処理装置を決定する決定工程と、前記決定工程で決定された接続先情報処理装置に検索条件として、前記受信された複数の情報を送信し、前記情報処理装置から検索機能によって前記検索条件に基づいて得られた検索結果を取得し、該検索結果を出力する出力工程とを備えたことを特徴とする。
【手続補正６】
【補正対象書類名】明細書
【補正対象項目名】０００７
【補正方法】変更
【補正の内容】
【０００７】
また本発明に係る記憶媒体は、上記目的を達成するために、データに関連付けられた検索用記述子として、階層的に記述された複数の情報を受信する受信モジュールと、複数の情報と関連付けられる、ネットワーク上の検索機能を有する情報処理装置を決定するための関連情報を記憶する記憶手段が記憶する関連情報に基づいて、前記ネットワーク上の接続先となる検索機能を有する情報処理装置を決定する決定モジュールと、前記決定モジュールで決定された接続先情報処理装置に検索条件として、前記受信された複数の情報を送信し、前記情報処理装置から検索機能によって前記検索条件に基づいて得られた検索結果を取得し、該検索結果を出力する出力モジュールを有するプログラムを格納したことを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００６６
【補正方法】変更
【補正の内容】
【００６６】
【発明の効果】
以上説明したように、本発明によれば、データに関連付けられた、階層的に記述された複数の情報に対応する情報処理装置に該情報を送信し、該情報処理装置が該条件を検索条件として検索した結果を取得し、該検索結果を出力することで、データに直接サイトアドレス情報が付加されていないデータに関する情報を簡単に取得することができる。
【手続補正２９】
【補正対象書類名】明細書
【補正対象項目名】００６７
【補正方法】削除
【補正の内容】
【手続補正３０】
【補正対象書類名】明細書
【補正対象項目名】００６８
【補正方法】削除
【補正の内容】